(57)【要約】      （修正有）【課題】ペット上に取り付けた被捜索ユニットは平時はスタンバイモードを保持し、捜索信号を受信してはじめてワーキングモードになり、同時に応答信号を捜索ユニットに返すため、電力節約効果を達成し、電力不足のため信号を返せない状況を回避する。【解決手段】捜索ユニットの第一中央処理ユニットはエンコード制御を行い、またアンテナセットを経て、識別コードを有する捜索信号を発信する。被捜索ユニットの無線受発信ユニットは捜索ユニットの捜索信号を受信すると、被捜索ユニットの第二中央処理ユニットが捜索信号の識別コードをデコードし、また被捜索ユニットの既設識別コードとの比較検査を行う。そして両者が等しい場合、第二中央処理ユニットはエンコード制御をすると同時に無線受発信ユニットを駆動し、既設識別コードを有する応答信号を捜索ユニットへ発信する。【選択図】図１
0003132793.tif 000002
【実用新案登録請求の範囲】
【請求項１】
捜索ユニット及び被捜索ユニットを含み、
捜索ユニットはアンテナセット、第一中央処理ユニット、第一電源ユニットを包括し、その第一中央処理ユニットはエンコード制御を行うと共に、そのアンテナセットを経て識別コードを有する捜索信号を発信し、及び、
一つ以上の被捜索ユニットは、その被捜索ユニットが既設識別コードを有し、且つその被捜索ユニットは無線受発信ユニット、第二中央処理ユニット、第二電源ユニットを包括し、無線受発信ユニットがその捜索信号を受信すると、その第二中央処理ユニットがその捜索信号の識別コードをデコードし、またその被捜索ユニットの既設識別コードとの比較検査を行い、両者が等しい場合、その第二中央処理ユニットはエンコード制御をし、同時にその無線受発信ユニットを駆動して、その既設識別コードを有する応答信号を捜索ユニットへ発信することを特徴とする移動物件の捜索装置。
【請求項２】
その捜索ユニットがさらにスイッチ装置を包括し、そのアンテナセットは全方向性アンテナと指向性アンテナを包括し、そのスイッチ装置はその全方向性アンテナとその指向性アンテナに接続され、捜索ユニットはまず全方向性アンテナを利用してその被捜索ユニットを探し、そしてその被捜索ユニットが設定距離内にあると、そのスイッチ装置はその指向性アンテナに切り換え、捜索装置はその指向性アンテナを利用してその被捜索ユニットを探すことを特徴とする請求項１記載の移動物件の捜索装置。
【請求項３】
当該捜索ユニットがさらにアラームユニットを包括し、その捜索ユニットがその被捜索ユニットの応答信号を受信すると、そのアラームユニットが作動を始めることを特徴とする請求項１記載の移動物件の捜索装置。
【請求項４】
当該被捜索ユニットを一つとすることを特徴とする請求項４記載の移動物件の捜索装置。
【請求項５】
当該被捜索ユニットがさらに感知作動ユニットを包括し、その感知作動ユニットがその被捜索ユニットに接近すると、その感知作動ユニットが作動を開始することを特徴とする請求項１記載の移動物件の捜索装置。
【請求項６】
当該捜索ユニットがさらに識別コードを入力する一入力装置を包括することを特徴とする請求項１記載の移動物件の捜索装置。
【請求項７】
当該捜索ユニットがさらに発信強度調整ボタンを包括し、その発信強度調整ボタンは各種異なる強度の捜索信号を発信することができることを特徴とする請求項１記載の移動物件の捜索装置。
【請求項８】
当該捜索ユニットが一感度調整ボタンを有し、各種異なる受信感度を設定することができることを特徴とする請求項１記載の移動物件の捜索装置。
【請求項９】
当該被捜索ユニットを複数個とすることを特徴とする請求項１記載の移動物件の捜索装置。
【考案の詳細な説明】
【技術分野】
【０００１】
本考案は一種移動物件の捜索装置に関するもので、特に一種の全方向性アンテナと指向性アンテナを有する移動物件の捜索装置を指す。
【背景技術】
【０００２】
現在、一般的に周知されているペット捜索システムは、多くが捜索装置と被捜索装置から構成されている。被捜索装置はペットの身体上に取り付けられ、ペットが行方不明になり、飼い主の視線範囲から離れると、飼い主は捜索装置を利用し、捜索信号を発信し、ペット身体上に取り付けた被捜索装置が一応答信号を返すことで、飼い主を導き、いなくなったペットを探し出すものである。
【０００３】
しかし、実際の使用状況では、ペットが見つからない状況がたびたび起こる。周知のペット捜索システムの場合、被捜索装置がペット身体上に取り付けられると、ペットが飼い主の視線範囲を離れたかどうかにかかわらず、被捜索装置は信号を絶え間なく捜索装置に発信し、信号発信動作が被捜索装置の電力を持続的に消耗させる。そのためペットが本当に行方不明になった時には、被捜索装置の電力がすでに消耗され、正常な作動ができない状況になっていることがよくある。
【０００４】
このほか、周知のペット捜索システムの捜索装置は、一種の単一アンテナを利用し、捜索信号の発信と応答信号の受信を行うため、ペットの正確な方角が割り出せず、そのためペットを探し出せないことがよくある。
【０００５】
上記からわかるように、周知のペット捜索システムには多くの欠点があり、改善の必要がある。
【考案の開示】
【考案が解決しようとする課題】
【０００６】
本考案は移動物件の捜索装置を提供し、一つの捜索ユニットと一つ以上の被捜索ユニットを包括する。その中で、その被捜索ユニットは、一般のペット（例えば猫や犬など監視したいペット）の身体上に取り付けられ、ペットが行方不明になり、飼い主の視線範囲を超えて移動した時、ペットの飼い主は捜索ユニットを利用し、ペット身体上の被捜索ユニットへ捜索信号を発信し、被捜索ユニットが応答信号を捜索ユニットへ返すことで、飼い主を導き、いなくなったペットを探し出すことができる。
【０００７】
本考案の移動物件の捜索装置は、おおよそ一つの捜索ユニットと一つ以上の被捜索ユニットを包括する。すなわち、捜索ユニットに被捜索ユニットを組み合わせる、或いは捜索ユニットに複数個の被捜索ユニットを組み合わせることができる。
【０００８】
捜索ユニットはアンテナセット、第一中央処理ユニット、第一電源ユニットを包括し、その第一中央処理ユニットはエンコード制御を行うと共に、そのアンテナセットを経て一識別コードを有する捜索信号を発信する。被捜索ユニットは一既設識別コードを有し、且つ被捜索ユニットは一無線受発信ユニット、第二中央処理ユニット、第二電源ユニットを包括する。無線受発信ユニットがその捜索信号を受信すると、第二中央処理ユニットが捜索信号の識別コードをデコードする。また被捜索ユニットの既設識別コードと比較検査し、両者が等しいと、第二中央処理ユニットはエンコード制御をし、同時に被捜索ユニットの無線受発信ユニットを駆動して、当該既設識別コードを有する応答信号を捜索ユニットへ発信する。
【０００９】
本考案の移動物件の捜索装置は、その捜索ユニットがさらに一スイッチ装置を包括し、アンテナセットは一全方向性アンテナと一指向性アンテナを包括する。スイッチ装置は全方向性アンテナと指向性アンテナに接続され、捜索ユニットはまず全方向性アンテナを利用して被捜索ユニットを探す。被捜索ユニットが設定距離内にあると、スイッチ装置は指向性アンテナに切り換え、捜索装置はその指向性アンテナを利用して被捜索ユニットを探す。
【００１０】
本考案の移動物件の捜索装置は、その捜索ユニットがさらに一アラームユニットを包括し、捜索ユニットが被捜索ユニットの応答信号を受信すると、アラームユニットが作動を始める。
【００１１】
本考案の移動物件の捜索装置は、その被捜索ユニットがさらに一感知作動ユニットを包括し、捜索ユニットがその被捜索ユニットに接近すると、感知作動ユニットが作動を開始する。感知作動ユニットの作動例としては、ブザーやフラッシュライト、或いは振動といったアラーム効果の起動がある。また大小強弱のアラーム効果により、捜索ユニットの移動方向へ導くことができる。
【００１２】
本考案の移動物件の捜索装置は、その捜索ユニットがさらに識別コードを入力する一入力装置を包括する。その入力装置は、ディップスイッチとすることができる。
【００１３】
本考案の移動物件の捜索装置は、その捜索ユニットがさらに、発信強度調整ボタンを包括し、各種異なる強度に調整された捜索信号を発信することができる。例えば強、中、弱３種の異なる強度の捜索信号の発信では、まず最強を発信して、その被捜索ユニットの応答信号が受信できれば、被捜索ユニットが捜索の有効範囲内にあることがわかる。捜索ユニットは更に信号強度を中或いは弱に調整して発信し、被捜索ユニットの応答信号がまだ受信できれば、すなわち、被捜索ユニットがより近い範囲内にあることがわかる。
【００１４】
本考案の移動物件の捜索装置は、その捜索ユニットが感度調整ボタンを有し、各種異なる受信感度に調整設定することができる。例えば、強、中、弱３種の異なる受信感度に設定することができ、まず最強の感度で受信し、被捜索ユニットの応答信号が受信できれば、被捜索ユニットが捜索の有効範囲内にあることがわかる。捜索ユニットは更に感度を中或いは弱に調整して受信し、被捜索ユニットの応答信号がまだ受信できれば、すなわち、被捜索ユニットがより近い範囲内にあることがわかる。
【００１５】
本考案の移動物件の捜索装置は、その被捜索ユニットが捜索信号を受信するまでは、被捜索ユニットはスタンバイモード中である。本考案の被捜索ユニットは捜索ユニットが発信する捜索信号を受信した後だけ、内部電源を起動させ、また応答信号を捜索ユニットへ返すので、多くの不必要な電源の浪費が減り、被捜索ユニットの使用寿命とスタンバイ時間が増加する。
【課題を解決するための手段】
【００１６】
請求項１の考案は、捜索ユニット及び被捜索ユニットを含み、
捜索ユニットはアンテナセット、第一中央処理ユニット、第一電源ユニットを包括し、その第一中央処理ユニットはエンコード制御を行うと共に、そのアンテナセットを経て識別コードを有する捜索信号を発信し、及び、
一つ以上の被捜索ユニットは、その被捜索ユニットが一既設識別コードを有し、且つその被捜索ユニットは無線受発信ユニット、第二中央処理ユニット、第二電源ユニットを包括し、無線受発信ユニットがその捜索信号を受信すると、その第二中央処理ユニットがその捜索信号の識別コードをデコードし、またその被捜索ユニットの既設識別コードとの比較検査を行い、両者が等しい場合、その第二中央処理ユニットはエンコード制御をし、同時にその無線受発信ユニットを駆動して、その既設識別コードを有する応答信号を捜索ユニットへ発信することを特徴とする移動物件の捜索装置としている。
請求項２の考案は、その捜索ユニットがさらに一スイッチ装置を包括し、そのアンテナセットは全方向性アンテナと指向性アンテナを包括し、そのスイッチ装置はその全方向性アンテナとその指向性アンテナに接続され、捜索ユニットはまず全方向性アンテナを利用してその被捜索ユニットを探し、そしてその被捜索ユニットが設定距離内にあると、そのスイッチ装置はその指向性アンテナに切り換え、捜索装置はその指向性アンテナを利用してその被捜索ユニットを探すことを特徴とする請求項１記載の移動物件の捜索装置としている。
請求項３の考案は、当該捜索ユニットがさらにアラームユニットを包括し、その捜索ユニットがその被捜索ユニットの応答信号を受信すると、そのアラームユニットが作動を始めることを特徴とする請求項１記載の移動物件の捜索装置としている。
請求項４の考案は、当該被捜索ユニットを一つとすることを特徴とする請求項４記載の移動物件の捜索装置としている。
請求項５の考案は、当該被捜索ユニットがさらに感知作動ユニットを包括し、その感知作動ユニットがその被捜索ユニットに接近すると、その感知作動ユニットが作動を開始することを特徴とする請求項１記載の移動物件の捜索装置としている。
請求項６の考案は、当該捜索ユニットがさらに識別コードを入力する一入力装置を包括することを特徴とする請求項１記載の移動物件の捜索装置としている。
請求項７の考案は、当該捜索ユニットがさらに一発信強度調整ボタンを包括し、その発信強度調整ボタンは各種異なる強度の捜索信号を発信することができることを特徴とする請求項１記載の移動物件の捜索装置としている。
請求項８の考案は、当該捜索ユニットが感度調整ボタンを有し、各種異なる受信感度を設定することができることを特徴とする請求項１記載の移動物件の捜索装置としている。
請求項９の考案は、当該被捜索ユニットを複数個とすることを特徴とする請求項１記載の移動物件の捜索装置としている。
【考案の効果】
【００１７】
本考案の移動物件の捜索装置は、飼い主にペット探しの便利さと簡単さを提供することができる。また、ペット上に取り付けた被捜索ユニットは平時はスタンバイモードを保持し、捜索信号を受信してはじめてワーキングモードになり、同時に応答信号を捜索ユニットに返すため、電力節約効果を達成し、また被捜索ユニットが、電力不足のため信号を返せない状況も起こらない。このほか、本考案は指向性アンテナと全方向性アンテナの２種の異なるアンテナを利用し、飼い主をペットへ導くよりどころとする。遠距離の状況下では全方向性アンテナを応答信号の受信に使用し、ペットと飼い主が設定距離に近づくと、指向性アンテナを応答信号の受信に利用するため、いなくなったペットを探すのがさらに便利である。
【考案を実施するための最良の形態】
【００１８】
本考案の部品と構造は図１を参照のこと。本考案の移動物件の捜索装置は一つの捜索ユニット１０と少なくとも一つの被捜索ユニット２０を包括する。一つの捜索ユニット１０に一つの被捜索ユニット２０を組み合わせることができ、また一つの捜索ユニット１０に複数個の被捜索ユニット２０を組み合わせることもできる。図１では一つの捜索ユニット１０と二つの被捜索ユニット２０の組み合わせを示す。
【００１９】
図２を参照のこと。本考案の捜索ユニット１０は主にアンテナセット１１、第一中央処理ユニット１２、第一電源ユニット１３を包括する。第一中央処理ユニット１２はエンコード制御を行い、またアンテナセット１１を経て、一識別コードを有する捜索信号を発信する。その捜索ユニット１０は識別コードを入力するため一入力装置１６を有する。ユーザーが信号の発信強度と受信感度を調整しやすいように、捜索ユニット１０は一発信強度調整ボタン１７を有し、各種異なる強度の捜索信号を調整して発信することができる。また、各種異なる受信感度が設定できる、感度調整ボタン１８を有する。
【００２０】
図３を参照のこと。本考案の被捜索ユニット２０は主に無線受発信ユニット２１、第二中央処理ユニット２２、第二電源ユニット２３を包括する。被捜索ユニット２０の無線受発信ユニット２１が捜索ユニット１０の捜索信号を受信すると、被捜索ユニット２０の第二中央処理ユニット２２がその捜索信号の識別コードをデコードし、また、その被捜索ユニット２０の既設識別コードと比較検査を行う。両者が等しい場合、第二中央処理ユニット２２がエンコード制御をし、同時に無線受発信ユニット２１を駆動し、既設識別コードを有する一応答信号を捜索ユニット１０へ発信する。
【００２１】
本考案の動作は、図２と図３を合わせて参照のこと。本考案の捜索ユニット１０はさらにスイッチ装置１４を有し、アンテナセット１１と組み合わせて使用することができる。アンテナセット１１は全方向性アンテナ１１１と指向性アンテナ１１２を包括する。スイッチ装置１４は全方向性アンテナ１１１と指向性アンテナ１１２に接続されている。使用する時、捜索ユニット１０はまず、全方向性アンテナ１１１を利用してその被捜索ユニット２０を探し、その被捜索ユニット２０が一設定距離内にあると、そのスイッチ装置１４はその指向性アンテナ１１２に切り換え、捜索ユニット１０はその指向性アンテナ１１２を利用して、その被捜索ユニット２０を探す。捜索ユニット１０は一アラームユニット１５を有し、その捜索ユニット１０が被捜索ユニット２０の応答信号を受信すると、アラームユニット１５が作動を始め、例えば、ブザーやフラッシュライト、或いは振動といったアラーム効果を起動させる。図３を参照のこと。同様に、捜索ユニット１０が被捜索ユニット２０に接近すると、被捜索ユニット２０の感知作動ユニット２４が作動を開始する。
【００２２】
本考案の実際の応用例は図１を参照のこと。被捜索ユニット２０は飼い主のペット犬の首に取り付けることができ、犬が飼い主の監視範囲から離れると、飼い主は捜索ユニット１０を利用して一捜索信号を発信してペットを探すことができる。ペット身体上につけられた被捜索ユニット２０は、平時はスタンバイモード（ｓｔａｎｄｌｙ  ｍｏｄｅ）下にあり、電力が節約できる。ペット身体上につけられた被捜索ユニット２０は捜索ユニット１０が送った捜索信号を受信すると、被捜索ユニット２０がワーキングモード（ｗｏｒｋｉｎｇ  ｍｏｄｅ）中になる。同時に被捜索ユニット２０は捜索ユニット１０へ一応答信号を返すため、飼い主は捜索ユニット１０の導きにより、いなくなったペットを探しだすことができる。
【００２３】
捜索ユニット１０の第一中央処理ユニット１２は被捜索ユニット２０の識別コードに基づきエンコードを行い、識別コードを有する一ベースバンド信号（ｂａｓｅｂａｎｄ  ｓｉｇｎａｌ）を得ることができる。当該識別コードを有するベースバンド信号は第一中央処理ユニット１２を経て、RF信号（ｒａｄｉｏ−ｆｒｅｑｕｅｎｃｙ  ｓｉｇｎａｌ）に変換される。また全方向性アンテナ１１１、或いは指向性アンテナ１１２から、識別コードを有する捜索信号を発信し、その捜索信号はペット犬を探すために用いられる。
【００２４】
このほか、前記したように、本考案の移動物件の捜索装置は、一つの捜索ユニット１０が多くの異なる被捜索ユニット２０と同時に対応し捜索することができる。この時それぞれの被捜索ユニット２０は、各自専属の識別コードを有し判別に用いられる。
【００２５】
再度、図１、図２、図３を同時に参照のこと。本考案の捜索ユニット１０の全方向性アンテナ１１１と指向性アンテナ１１２は識別コードを有する捜索信号を発信し、ペット身体上の被捜索ユニット２０を探すのに用いることができる。全方向性アンテナ１１１と指向性アンテナ１１２はまた、被捜索ユニット２０から返る応答信号を受信することができる。その内、全方向性アンテナ１１１は発進できる捜索信号と受信できる応答信号の角度が比較的大きく（約３６０度の輻射）、指向性アンテナ１１２は発信できる捜索信号と受信できる応答信号の方向が比較的狭い（約４５度）。本実施例中では、一設定距離で区分けし、ペット犬と飼い主の距離が設定距離を超えると、飼い主が捜索ユニット１０の全方向性アンテナ１１１を利用して、まず一捜索信号を発信し、また全方向性アンテナ１１１で被捜索ユニット２０が返す応答信号を受信する。ペット犬と飼い主の距離がこの設定距離より小さい場合、捜索ユニット１０は指向性アンテナ１１２に変え、被捜索ユニット２０が返す応答信号を受信する。
【００２６】
本考案の移動物件の捜索装置は、被捜索ユニット２０がペット犬の身体上につけられた時、被捜索ユニット２０は一スタンバイモード（ｓｔａｎｄｂｙ  ｍｏｄｅ）にあり、被捜索ユニット２０が自発的に何らかの信号を伝送することはなく、被捜索ユニット２０は電力節約効果を達成する。
【００２７】
被捜索ユニット２０の無線受発信ユニット２１が捜索ユニット１０の発信する捜索信号を受信すると、第二中央処理ユニット２２がまず無線受発信ユニット２１の受信したRF信号（ｒａｄｉｏ−ｆｒｅｑｕｅｎｃｙ  ｓｉｇｎａｌ）を一ベーシックバンド信号に変換する。第二中央処理ユニット２２はまた、ベーシックバンド信号に対しデコードを行い、更に内部の既設識別コードとの比較検査を行う。両者の識別コードが等しい時、被捜索ユニット２０は無線受発信ユニット２１を経て識別コードを有する被捜索信号を発信して、捜索ユニット１０に返事をし、ペット犬の識別をする。
【００２８】
捜索ユニット１０のアンテナセット１１は被捜索ユニット２０が返した被捜索信号を受信すると、第一中央処理ユニット１２がその受信した被捜索信号の識別コードを比較検査し、正しい場合、探している被捜索ユニット２０の応答信号を受信したことを表す。第一中央処理ユニット１２は更に、信号強度指示（ｓｉｇｎａｌ  ｓｔｒｅｎｇｔｈ  ｉｎｄｅｘ）に基づき、アラームユニット１５の作動を駆動する。信号強度指示（ｓｉｇｎａｌ  ｓｔｒｅｎｇｔｈ  ｉｎｄｅｘ）の値が大きくなるほど、捜索ユニット１０が被捜索ユニット２０により接近していることを表す。第一中央処理ユニット１２はアラームユニット１５を駆動し、例えば連続的な音やフラッシュライトなどのさらに強烈なアラーム効果を表すことができる。
【図面の簡単な説明】
【００２９】
【図１】本考案の好ましい実施例の移動物件の捜索システムの操作図である。
【図２】本考案の好ましい実施例の捜索装置の機能ブロック図である。
【図３】本考案の好ましい実施例の被捜索装置の機能ブロック図である。
【符号の説明】
【００３０】
１０  捜索ユニット
１１  アンテナセット
１１１  全方向性アンテナセット
１１２  指向性アンテナセット
１２  第一中央処理ユニット
１３  第一電源ユニット
１４  スイッチ装置
１５  アラームユニット
１６  入力装置
１４７  発信強度調整ボタン
１８  感度調整ボタン
２０  被捜索ユニット
２１  無線受発信ユニット
２２  第二中央処理ユニット
２３  第二電源ユニット
２４  感知作動ユニット
【図１】
0003132793.tif 000003
【図２】
0003132793.tif 000004
【図３】
0003132793.tif 000005